(57)【特許請求の範囲】
【請求項１】
光電変換素子が二次元的に配列されて成る撮像デバイスを用いて被写体を撮像する電子カメラにおいて、
前記撮像デバイスで取得した画像を表示する画像表示手段と、
外部機器を接続するための出力端子と、
前記出力端子に外部機器が接続されたことを検出する検出手段と、
前記出力端子に前記外部機器を接続しない通常撮影モード時は、前記撮像デバイスの垂直方向を第１の割合に間引いて信号を読み出し、前記検出手段によって前記出力端子への外部機器の接続が検出された場合には、前記撮像デバイスの垂直方向を前記通常撮影モード時よりも間引きの少ない第２の割合に間引いて信号を読み出し、或いは間引きを行わずに全画素について信号の読み出しを行うように前記撮像デバイスを駆動する駆動制御手段とを備え、
前記駆動制御手段は、前記撮像デバイスの垂直方向の画素を間引いて信号を読み出す場合に、画素のラインを読み出すごとに、前記垂直方向に間引くライン数を、第１のライン数と前記第１のライン数とは異なる第２のライン数との間で交互に変更することを特徴とする電子カメラ。
【請求項２】
光電変換素子が二次元的に配列されて成る撮像デバイスを用いて被写体を撮像する電子カメラにおいて、
前記撮像デバイスで取得した画像を表示する画像表示手段と、
前記撮像デバイスを介して取得した映像信号を外部機器に送出する外部出力手段と、
前記外部出力手段による外部機器への映像信号の転送を行わない通常撮影モード及び前記外部出力手段による外部機器への映像信号の転送を行う外部出力モードのうち一のモードを選択する操作を行うためのモード選択手段と、
前記モード選択手段により前記通常撮影モードが選択された場合は、前記撮像デバイスの垂直方向を第１の割合に間引いて信号を読み出し、前記モード選択手段によって前記外部出力モードが選択された場合には、前記撮像デバイスの垂直方向を前記通常撮影モード時よりも間引きの少ない第２の割合に間引いて信号を読み出し、或いは間引きを行わずに全画素について信号の読み出しを行うように前記撮像デバイスを駆動する駆動制御手段とを備え、
前記駆動制御手段は、前記撮像デバイスの垂直方向の画素を間引いて信号を読み出す場合に、画素のラインを読み出すごとに、前記垂直方向に間引くライン数を、第１のライン数と前記第１のライン数とは異なる第２のライン数との間で交互に変更することを特徴とする電子カメラ。
【発明の詳細な説明】
【技術分野】
【０００１】
本発明は電子カメラに係り、特に１００万画素を超える高画素撮像デバイスを搭載したデジタルカメラ等に用いて好適な撮像デバイスの駆動方法を用いた電子カメラに関する。
【背景技術】
【０００２】
従来のデジタルカメラは撮像デバイスの画素数が、概ね６４０×４８０程度と比較的小さかったので、ＡＦ（オートフォーカス）時、ＡＥ（自動露出制御）時、通常撮影時、或いはマクロ撮影時などモードを問わず、撮像デバイスは、常に同じ駆動方式で駆動され、全画素分の信号電荷が読み出されていた（これを、通常駆動という。）。しかし、高画質化の要求に伴って次第に画素数が大きいデジタルカメラが開発されるようになり、画素数の増大につれてＡＥやＡＦ時に撮像デバイスを通常駆動していたのでは、信号処理が時間的に間に合わなくなってきた。そこで、撮像デバイスの垂直駆動を工夫して、ＡＥやＡＦ時には垂直方向の読み出しを１／２から１／４程度に間引いて駆動するものが提案された。
【発明の開示】
【発明が解決しようとする課題】
【０００３】
しかしながら、従来のように垂直を間引く方法では、間引く量を多くすれば、画像のリフレッシュが速くなるという利点はあるが、垂直方向のデータが欠落することになるため、マクロ撮影モードで厳密なピントが確認できず、また、外部出力してモニタ等に表示させたときに絵が粗く見えるなどの欠点があった。
【０００４】
本発明はこのような事情に鑑みて成されたもので、通常撮影時やＡＥ・ＡＦ時にはリフレッシュレートを速くし、マクロ撮影モードや外部モニタへの出力時のような場合には高画素の画像を得ることができる撮像デバイスの駆動方法を提供するとともに、かかる方法を適用した電子カメラを提供することを目的とする。
【課題を解決するための手段】
【０００５】
本発明の第１の態様は、光電変換素子が二次元的に配列されて成る撮像デバイスを用いて被写体を撮像する電子カメラにおいて、前記撮像デバイスで取得した画像を表示する画像表示手段と、外部機器を接続するための出力端子と、前記出力端子に外部機器が接続されたことを検出する検出手段と、前記出力端子に前記外部機器を接続しない通常撮影モード時は、前記撮像デバイスの垂直方向を第１の割合に間引いて信号を読み出し、前記検出手段によって前記出力端子への外部機器の接続が検出された場合には、前記撮像デバイスの垂直方向を前記通常撮影モード時よりも間引きの少ない第２の割合に間引いて信号を読み出し、或いは間引きを行わずに全画素について信号の読み出しを行うように前記撮像デバイスを駆動する駆動制御手段とを備えたことを特徴とする。
【０００６】
本発明の第２の態様は、光電変換素子が二次元的に配列されて成る撮像デバイスを用いて被写体を撮像する電子カメラにおいて、前記撮像デバイスで取得した画像を表示する画像表示手段と、前記撮像デバイスを介して取得した映像信号を外部機器に送出する外部出力手段と、前記外部出力手段による外部機器への映像信号の転送を行わない通常撮影モード及び前記外部出力手段による外部機器への映像信号の転送を行う外部出力モードのうち一のモードを選択する操作を行うためのモード選択手段と、前記モード選択手段により前記通常撮影モードが選択された場合は、前記撮像デバイスの垂直方向を第１の割合に間引いて信号を読み出し、前記検モード選択手段によって前記外部出力モードが選択された場合には、前記撮像デバイスの垂直方向を前記通常撮影モード時よりも間引きの少ない第２の割合に間引いて信号を読み出し、或いは間引きを行わずに全画素について信号の読み出しを行うように前記撮像デバイスを駆動する駆動制御手段とを備えたことを特徴とする。
【０００７】
本発明に係る撮像デバイスの駆動方法は、撮像装置に組み込まれた撮像デバイスから信号の読み出しを行う撮像デバイスの駆動方法であって、通常撮影モード時は、撮像デバイスの垂直方向を第１の割合に間引いて信号を読み出し、マクロ撮影モード時、または、映像信号を外部の画像表示装置に出力する外部出力接続時には、撮像デバイスの垂直方向を前記通常撮影モード時よりも間引きの少ない第２の割合に間引いて信号を読み出し、或いは間引きを行わずに全画素について信号の読み出しを行うことを特徴としている。
【０００８】
本発明に係る撮像デバイスの駆動方法によれば、日常的に使用され通常撮影モードの場合には、撮像デバイスの垂直を第１の割合に間引きして駆動する。この時取得される画像は粗くなるが、リフレッシュレートが高く、撮像装置に付属する小型の画面表示器（モニタ）等で映像を観察する範囲では、構図の確認には十分である。
【０００９】
そして、マクロ撮影（近距離撮影）モードに切り換えた時には、間引きを減少させる（第２の割合に間引く）か、或いは間引き無しで駆動する。これにより、通常撮影モードよりも、一層多くの画素のデータを取り込むことができ、より厳密なピント確認が可能になる。また、マクロ撮影モードを具備するか否かを問わず、外部出力接続時においては、通常撮影モードであっても、間引きを減少させる（第２の割合に間引く）か、或いは間引き無しで駆動する。これにより、撮影画像を外部出力して他の大画面モニタ（画像表示装置）などで確認する場合に、高精細な画像を見ることができる。
【００１０】
特に、本発明に係る撮像デバイスの駆動方法において、１画面分の画像が単位時間当たりにリフレッシュされる回数をリフレッシュレートと呼ぶことにするとき、前記通常撮影モード時に撮像デバイスで取得する画像のリフレッシュレートを、ＮＴＳＣ、ＰＡＬ、ＳＥＣＡＭその他の所定のカラーテレビ方式におけるフレーム周波数に合わせる態様が好ましい。かかる態様によれば、撮像デバイスで取得した画像を一度フレームメモリに記憶しておく必要がないので、メモリ等の電源を遮断しておくことができ、無駄な消費電力を抑えることができるという利点がある。
【００１１】
本発明の第３の態様は、上記方法発明を具現化する電子カメラを提供すべく、光電変換素子が二次元的に配列されて成る撮像デバイスを用いて被写体を撮像する電子カメラにおいて、前記撮像デバイスで取得した画像を表示する画像表示手段と、通常撮影モード及びマクロ撮影モードの間でモード変更を行う為のモード切換手段と、通常撮影モード時は、撮像デバイスの垂直方向を第１の割合に間引いて信号を読み出し、マクロ撮影モード時には、撮像デバイスの垂直方向を前記通常撮影モード時よりも間引きの少ない第２の割合に間引いて信号を読み出し、或いは間引きを行わずに全画素について信号の読み出しを行うように前記撮像デバイスを駆動する駆動制御手段と、を備えたことを特徴としている。
【００１２】
本発明の第３の態様によれば、通常撮影モードが選択されている時は、撮像デバイスの垂直を第１の割合に間引いて駆動を行い、モード切換手段によってマクロ撮影モードが選択されると、自動的に間引きを減少させるか、間引き無しで撮像デバイスを駆動する。これにより、マクロ撮影時には高画素の画像を取り込むことができ、より厳密なピント確認が可能になる。
【００１３】
また、本発明の第４の態様に係る電子カメラは、上記の態様において、撮像デバイスを介して取得した映像信号を外部の画像表示装置に送出する外部出力手段を設け、外部出力手段を介して前記映像信号を画像表示装置に出力する外部出力接続時には、撮像デバイスの垂直方向を前記通常撮影モード時よりも間引きの少ない第３の割合（１／２）に間引いて信号を読み出し、或いは間引きを行わずに全画素について信号の読み出しを行うように構成することが好ましい。なお、第３の割合は、前記第２の割合と同じでもよい。
【００１４】
かかる態様によれば、通常撮影モードであっても、外部出力接続時には自動的に間引きを減少させ、または間引き無しで駆動するようにしたので、外部の画像表示装置に画像を映し出す場合に高画質の画像を観察することができる。特に、大画面モニタを利用する時に効果的である。
【００１５】
更に、本発明の第５の態様は、上述した本発明の電子カメラにおいて、外部操作に応じて随時設定が可能な高画質確認モードが設けられ、高画質確認モードに設定された場合に、前記駆動制御手段は、無条件に撮像デバイスの垂直方向を前記通常撮影モード時よりも間引きの少ない第４の割合（１／２）に間引いて信号を読み出し、或いは間引きを行わずに全画素について信号の読み出しを行うことを特徴としている。なお、第４の割合は、前記第２、又は第３の割合と同じでもよい。
【００１６】
即ち、この電子カメラは、ユーザが必要に応じて所定の操作部を操作することによって、高画質確認モードに設定することができる。通常撮影モードが選択されている場合であっても、ユーザによって高画質確認モードに設定された場合は、無条件に間引きを減少させ（第４の割合に間引き）、又は間引き無しで駆動する。かかる態様によれば、ユーザは、リフレッシュレートが遅くても高画素の画像を見たいか、画像は多少粗くてもリフレッシュレートが速い画像を見たいか、を自由に選択することができる。
【発明の効果】
【００１７】
以上説明したように本発明に係る撮像デバイスの駆動方法及び電子カメラによれば、日常的に使用される時（通常撮影モード時）や、ＡＥ・ＡＦ時には、画像は多少粗いがリフレッシュレートが高く電力消費も少ない間引き駆動を行い、マクロ撮影モード時や外部出力接続時はリフレッシュレートが遅くなるが、間引きの少ない（又は間引きをしない）駆動を行うようにしたので、マクロの確認時や画像を外部出力して確認する場合に高画素の画像を見ることができる。
【発明を実施するための最良の形態】
【００１８】
以下、添付図面に従って本発明に係る撮像デバイスの駆動方法及び電子カメラの好ましい実施の形態について詳説する。
【００１９】
はじめに、撮像デバイスの間引き駆動について説明する。図１には、ＣＣＤ撮像デバイスの例が示されている。同図では便宜上画素数を少なくしてあるが、実際には１２８０×１０２４、或いは１２８０×９６０などのＳＶＧＡ以上の画素数を有している。各画素の前面には、Ｒ（レッド）、Ｇ（グリーン）、Ｂ（ブルー）の何れかの色フィルタが設けられている。図１に示した画素配列はベイヤー配列と呼ばれるものであるが、配列形態はこれに限定されるものではない。
【００２０】
撮像デバイス１０は、主として光電変換素子１２、垂直転送路１４、水平転送路１６等から成る。光電変換素子１２は、２次元的に配列されており、図中縦方向の１列毎に画素列と垂直転送路１４が交互に配置される。各光電変換素子１２は、読出ゲート（不図示）を介して垂直転送路１４に接続されている。垂直転送路１４の最終段（図中の最下段）は水平転送路１６に接続され、水平転送路１６の最終段（図１上で最左段）は図示せぬ出力部に接続される。
【００２１】
読出ゲートは、ＣＣＤ駆動回路（撮像デバイス駆動回路）から与えられる読出ゲートパルスによって制御され、読出ゲートパルスが印加されたときに、光電変換素子１２に蓄積されている信号電荷が垂直転送路１４に移される。なお、シャッター動作を行う時に不要となる電荷は、読出ゲートパルスに先行するシャッターゲートパルスによって事前にＣＣＤ基板に掃き捨てられる。
【００２２】
垂直転送路１４は、光電変換素子１２から読み出された信号電荷を、ＣＣＤ駆動回路から加えられる垂直転送パルスによって図１の下方向に垂直転送する。垂直転送路１４の最終段まで転送されてきた信号電荷は、１水平帰線期間毎に順次水平転送路１６に移される。
【００２３】
水平転送路１６は、ＣＣＤ駆動回路から加えられる水平転送パルスによって信号電荷を出力部（不図示）へと転送する。出力部は入力された信号電荷の電荷検出を行い、信号電圧として出力端子に出力する。こうして、通常駆動においては、全ての画素から信号が読み出され、点順次の信号列として出力される。
【００２４】
次に、１／２間引き駆動の例を説明する。
【００２５】
図２には、１／２間引き駆動の例が示されている。同図（ａ）に示した方法は、画素を水平１ラインおきに均等に１／２に間引く方法である。図２（ａ）に示したようにＢ（ブルー）を含むライン（図中第１、３、５行）を読み出す場合、１回の読み出し駆動において、色情報としてＧ（グリーン）とＢ（ブルー）の情報しか読み出すことができず、Ｒ（レッド）の色情報が欠落する。そこで、次の駆動でＲを含むライン（図中第２、４行）を読み出し、合計２回の読み出し駆動により色情報を揃える。このようにベイヤー配列の場合には、１／２均等間引きによる駆動を２回行う方法を採用するが、他の配列形態（例えば、１水平ラインに全ての色情報が含まれるＧストライプと呼ばれる配列）の場合は、１／２均等間引きによる１回の読み出し駆動によって色情報を全て揃えることができる。なお、インターレーストランスファー駆動方式のＣＣＤなどは、このような方法で信号電荷を読み出すようになっている。
【００２６】
他方、図２（ｂ）に示した方法は、２ライン読んで２ライン飛ばす読み出し方法である。このように２ライン毎に間引く方法であれば、ベイヤー配列においても１回の読み出し駆動で全ての色情報が揃うという利点がある。
【００２７】
次に、１／４間引き駆動の例を説明する。
【００２８】
図３（ａ）は、均等読み出しであり、垂直方向に均等に１／４間引きを行い、１ライン読んで３ライン飛ばす方法である。この場合も次の駆動で読み出しラインを１ラインシフトさせＲを含むライン（Ｒライン）を読み出すことにより、２回の読み出し駆動で色情報を揃える。
【００２９】
また、均等間引きに代えて、図３（ｂ）のように、読み飛ばすライン数を２ライン又は５ラインと交互に変え、(I)（又は(II)）で示したＲラインを同時に読み出すことにより、１回の読み出し駆動で全ての色情報を揃えることができる。
【００３０】
次に、１／８間引き駆動の例を説明する。
【００３１】
１／８間引き駆動についても、１／４間引き駆動と基本的に同様であり、図４（ａ）には均等読み出しの例が示されている。この場合、垂直方向に均等に１／８間引きを行い、１ライン読んで７ライン読み飛ばすことになる。また、１回の駆動で全ての色情報を得ることができないので、次の駆動でＲラインを読み出し、２回の駆動によって色情報を揃える。
【００３２】
他方、かかる均等間引きに代えて、図４（ｂ）のように、読み飛ばすライン数を６ライン又は８ラインと交互に変え、(I)（又は(II)）で示したＲラインを読み出すことにより、１回の読み出し駆動で全ての色情報を揃えることができる。
【００３３】
以上の間引き駆動の例（図１乃至図４）は、ＣＣＤを想定して説明したが、これに限定されるものではなく、ＭＯＳ型、ＣＩＤ型その他の撮像デバイスの間引き読み出しにも適用することができる。
【００３４】
撮像デバイスを有した撮像装置は、上述のような撮像デバイス駆動方法を有しているが、このような駆動方法と撮影モードとの組み合わせについて、以下に説明する。
【００３５】
図５は、本発明の実施の形態に係るデジタルカメラのシステムブロック図である。デジタルカメラ（電子カメラに相当）２０は、主として、撮影レンズ２２、絞り２４、メカシャッター２６、固体撮像素子（撮像デバイスに相当）２８、アナログ信号処理回路３０、Ａ／Ｄ変換器３２、デジタル信号処理部３４、メモリ３６、Ｄ／Ａ変換器３８、液晶モニタ４０、圧縮／解凍回路４２、メモリカード４４、コントロール回路４６、中央演算処理装置（ＣＰＵ）４８等から構成される。なお、コントロール回路４６及びＣＰＵ４８が駆動制御手段に相当する。
【００３６】
撮影レンズ２２は、図上では簡略化して示してあるが、１枚又は複数枚のレンズで構成され、単一の焦点距離（固定焦点）のレンズでも良いし、ズームレンズやステップズームレンズの如く焦点距離可変のものでもよい。この撮影レンズ２２はコントロール回路４６を介してフォーカス、ズームが制御される。
【００３７】
絞り２４は、例えば一枚の絞り板に径の異なる複数の絞り穴が形成されて成り、図示せぬ電動駆動手段によって絞りの切り替えが自在である。なお、同図では、絞り２４は２種類の絞り穴を有する絞り板が示されているが、絞りが固定の場合や、絞りを連続的（無段階）に変えることができる連続絞りの場合、或いは、シャッターと絞りとが共用となっている形態も可能である。
【００３８】
メカシャッター２６は、固体撮像素子２８の入射光路に進退自在な遮光板から成り、コントロール回路４６を介して制御される電動駆動手段（不図示）によって固体撮像素子２８の入射光路を遮蔽／開放する。
【００３９】
固体撮像素子２８は、公知の２次元型撮像デバイス（例えば、１２８０×９６０画素）が用いられる。撮像デバイスは、ＣＣＤ型、ＭＯＳ型、ＣＩＤ型など様々な形態があり、何れの形態の撮像デバイスを採用してもよいが、本実施の形態においては、図１で説明したようなＣＣＤ撮像素子が採用される。なお、この固体撮像素子２８は、シャッターゲートパルスによって各センサに蓄積される電荷の蓄積時間（シャッタースピード）を制御する、いわゆる電子シャッター機能を有している。
【００４０】
撮影レンズ２２を通ってきた光は、絞り２４とメカシャッター２６で規制されて、固体撮像素子２８上に投影される。固体撮像素子２８上では電子シャッターにより蓄積時間が制御される。勿論、絞り２４が固定の場合や、メカシャッター２６と絞り２４が共用となっている場合もあり得るし、全画素読みの撮像デバイスであれば、メカシャッター２６が不要となる場合もある。
【００４１】
固体撮像素子２８の受光面に結像された被写体像は、各センサで光の入射光量に応じた量の信号電荷に変換され、撮像出力信号として順次読み出された後、アナログ信号処理回路３０に供給される。
【００４２】
アナログ信号処理回路３０は、ＣＤＳクランプ回路やゲイン調整回路等を含み、固体撮像素子２８から入力した撮像出力信号（アナログ電気信号）をコントロール回路４６の制御に基づいて適宜処理する。アナログ信号処理回路３０から出力された信号はＡ／Ｄ変換器３２によってデジタル信号に変換された後、デジタル信号処理部３４へと加えられる。
【００４３】
デジタル信号処理部３４、ゲイン制御部、ＡＥ用積算回路、輝度（Ｙ）信号生成回路、及び色差（Ｃ）信号生成回路その他の信号処理回路を含む。Ａ／Ｄ変換器３２から出力されたデータは、デジタル信号処理部３４で適宜処理され、ここで得られた画像データはメモリ３６に一時蓄積される。
【００４４】
このメモリ３６に記憶された画像データはデコードした後、Ｄ／Ａ変換器３８でアナログ信号に変換され、液晶モニタ４０（画像表示手段に相当）に供給される。こうして、液晶モニタ４０には固体撮像素子２８が捉えた映像が表示される。この液晶モニタ４０には、図示せぬシャッターボタンの押圧操作等によって発せられる撮影開始信号の受入に基づいて撮影した静止画が表示される他、撮影開始信号受入前の映像（スルー動画、或いは間欠画）も表示される。なお、撮影開始信号は外部から加えられることもある。また、前記Ｄ／Ａ変換器３８でアナログ信号に変換された信号は、ビデオ出力端子、デジタル出力端子等の外部出力手段４１から外部映像出力として取り出すことができる。
【００４５】
他方、撮影開始信号の受入に呼応して取得した画像データをメモリカード４４その他の記録媒体に記録する場合には、必要に応じて圧縮して書き込む。記録画像の圧縮率を選択することも可能であり、即ち、メモリ３６から圧縮／解凍回路４２に導かれたデータは、ここで所定の形式（例えば、ＪＰＥＧ）に従って圧縮処理された後、メモリカード４４に記録される。記録画像の圧縮率を選択することも可能であり、撮影の目的に合わせて１／４圧縮、１／８圧縮、１／１６圧縮の何れかを選ぶことができる。なお、記録媒体の形態は、スマートメディアやＩＣカード等、種々の形態が可能である。
【００４６】
メモリカード４４に保存した画像データはＣＰＵ４８を介して呼び出しが可能であり、呼び出した画像データは圧縮／解凍回路４２で解凍再生処理された後、メモリ３６、Ｄ／Ａ変換器３８を介して液晶モニタ４０に出力される。勿論、かかる再生画像信号も外部出力手段４１に供給され、他の外部機器に出力可能である。
【００４７】
ＣＰＵ４８は、コントロール回路４６、デジタル信号処理部３４、メモリ３６等と接続されており、所定のアルゴリズムに従って露出値、フォーカス位置等の各種演算を行い、自動露光制御、オートフォーカス、オートストロボ、オートホワイトバランス等の制御を総括的に管理する。また、ＣＰＵ４８はレリーズボタンやマクロキー（モード切換手段に相当）、モード設定ダイヤルその他の操作部５０から入力される各種入力信号に基づいて、該当する回路を制御する。
【００４８】
オートフォーカス手段は種々の形態が可能であるが、例えば、画像信号から被写体像の鮮鋭度を示す焦点評価値を演算し、その焦点評価値を利用して基づいてフォーカス位置を算出する。そして、算出したフォーカス位置に従ってフォーカス駆動回路（不図示）を介して撮影レンズ２２を制御し、フォーカス位置を設定する。その他、ＡＦセンサなど公知の測距手段を用いてもよい。
【００４９】
コントロール回路４６は、ＣＰＵ４８から通知された露出制御値に基づいて固体撮像素子２８の駆動回路を制御し、固体撮像素子２８の電荷蓄積時間、即ち、電子シャッター値を設定すると共に、絞り２４の選択、メカシャッター２６の開閉タイミング等を制御する。このように、デジタルカメラ２０の露光制御は全て自動的に行われる。
【００５０】
次に、上記の如く構成されたデジタルカメラにおける撮像デバイスの駆動方法について説明する。
【００５１】
先ず、通常撮影モードの場合を述べる。通常撮影モードは、撮影状況に応じて露出（シャッタースピードと絞り値の組み合わせ）と、フォーカスをカメラが自動的に制御する撮影モードであり、一般的な撮影に最適である。この通常撮影モードの場合、固体撮像素子２８を図３及び図４で説明した１／４間引き、又は１／８間引きで駆動する。かかる場合、画像は粗いが（垂直９６０本の場合、１／４間引きで２４０本、１／８間引きでは１２０本になる）、リフレッシュレートが高く、デジタルカメラ２０に付属する小型の液晶モニタ４０で観察する範囲では、構図の確認には十分有効である。
【００５２】
また、液晶モニタ４０の表示に採用されているＮＴＳＣ、ＰＡＬ、ＳＥＣＡＭその他のフォーマットに合わせてリフレッシュレートを設定しておけば、画像を一度メモリに格納する必要がないために、メモリ３６等の電源を切っておくことができる。この場合、システムは図６に示すような構成となり、消費電力を抑えることができる。
【００５３】
ＡＥ及びＡＦ時においても、垂直方向の１／４間引き、又は１／８間引き、或いは、それらの中央部分１／２切り出しによって駆動する。これにより、短時間でＡＥ、ＡＦの処理を行うことができる。
【００５４】
次に、マクロ（近距離）撮影モードの場合を述べる。操作部５０のうちマクロキーに相当するキーを押すと、カメラはマクロ撮影モードに設定され、液晶モニタ４０にはマクロ撮影モードである旨を示す所定のマークが表示される。マクロ撮影機能を使用すると、約９〜５０ｃｍまでの近距離撮影が可能となる。なお、再度マクロキーを押すと、マクロ撮影モードが解除され通常撮影モードに復帰する。
【００５５】
マクロ撮影モードに設定された場合には、図１及び図２で説明したように、固体撮像素子２８を１／２間引き、又は間引き無しで駆動する。マクロ撮影は、通常撮影に比べてフォーカスが一層シビアであり、合焦状態の確認のためには画素数の多い精細な画像を得る方が好ましい。従って、マクロ撮影モードに設定した場合は、自動的に間引きを減少させる（垂直方向を１／２に間引き駆動する）か、又は、間引きせずに全画素の読み出しを行うように、固体撮像素子２８を駆動制御する。これにより、通常撮影モードよりも高画質な画像を得ることができる。
【００５６】
また、マクロ時には、フォーカス確認の為に、主に画面の中央部を拡大して確認したいという場合がある。そのような要求に応えるべく、中央部拡大ボタンのような確認用操作部を設け、この確認用操作部を操作することによって、画面中央部を拡大表示できるように構成してもよい。かかる中央部拡大表示機能を実現するには、撮像デバイスの駆動とモニタ表示を組み合わせて、次のように処理する方法が考えられる。
【００５７】
即ち、第１は、図７に示すように、高画素の撮像デバイスを通常駆動（間引き無し）で読み出し、これを表示する際には、撮像エリア５２のうち中央部分５２Ａのみを切り出して表示する。液晶モニタ４０などの表示デバイスは、概ね３２０×２４０程度の画素数があれば画素に対し、略１対１で表示が可能であり、フォーカス等の確認がシビアに行える。
【００５８】
第２は、図８に示すように、高画素の撮像デバイス（例えば、１２８０×９６０画素）を１／２間引きで駆動して１２８０×４８０の読み出しを行い、その読み出しエリア５４の垂直方向について中央部分５４Ａのみを１／２に切り出し（図８中斜線部分）、水平は１２８０を１／２に縮小後、更に中央部分のみを１／２に切り出して、最終的に３２０×２４０のサイズで表示する。
【００５９】
かかる処理を行うことにより、結果的には、図９に示すように、撮像エリア５２の一部から表示エリア５６に相当する３２０×２４０の領域を切り出して、表示したことになる。
【００６０】
第３の方法は、図１０に示すように、高画素の撮像デバイス（例えば、１２８０×９６０画素）の撮像エリア５２のうち、垂直方向中央部１／２のエリアを読み出しエリア５２Ｂとして定め、この読み出しエリア５２Ｂだけを１／２間引きにより読み出し駆動する。そして、これを表示する時に、水平を１／２に縮小後、中央部分を１／２に切り出して表示する。かかる処理によっても、撮像エリア５２と表示エリア５６の関係は図９に示したものと同様になる。
【００６１】
次に、外部出力接続時の撮像デバイスの駆動方法を説明する。
【００６２】
ビデオ出力端子に大画面モニタその他の画像表示装置を接続したり、デジタル出力端子にパーソナルコンピュータ（パソコン）を接続したような場合、つまり、外部機器に映像信号を出力する場合（外部出力接続時）には、標準撮影モードであっても、自動的に１／２間引き、又は、間引きなしで駆動する。勿論、マクロ時も同様に１／２間引き、又は、間引き無しで駆動する。
【００６３】
具体的には、出力端子に機器が接続されたことを検出する手段を設け、かかる検出手段が外部機器の接続を検知したら、その検出信号をＣＰＵ４８に通知して撮像デバイスの駆動方式を自動的に１／２間引き、又は、間引き無しに変更するように構成する。
【００６４】
または、外部機器への映像信号の転送を行うモードに設定する手段（モード選択手段）によって、外部出力モードに設定された時に撮像デバイスの駆動方式を自動的に１／２間引き、又は、間引き無しに変更するように構成してもよい。
【００６５】
なお、ここでいう外部出力接続時には、コネクタ及びケーブルを介して機器どうしを直接連結する場合のみならず、赤外線通信その他の非接触通信機能によって機器間でデータの送受信が可能な状態も含まれる。
【００６６】
外部出力の接続相手が、常に大画面のモニタであるとは限らないが、デジタルカメラ２０に付属した液晶モニタ４０の画面サイズに比べて、外部接続による画像表示装置のモニタ画面は大きい場合が多いので、そのような時に高精細な画像で観察できるという利点がある。
【００６７】
上述したように、本例のデジタルカメラ２０は、通常撮影モード、マクロモード、外部出力時、ＡＥ／ＡＦ時というようにカメラのモードや状況に応じて撮像デバイスの読み出し駆動方法を自動的に切り換えている。
【００６８】
また、上述した撮像デバイスの駆動方式の自動切り換えに代えて、又は、これと合わせて、高画質確認モードを別途設け、ユーザがデバイスの読み出し駆動方法を自由に選択できるようにしてもよい。即ち、高画質確認モードが選択された時には、無条件に１／２間引き、又は、間引き無しで駆動を行うように構成する。このような高画質確認モードを付加することにより、ユーザはリフレッシレートが遅くても高精細な画像を見たいか、それとも画像が多少粗くてもリフレッシュレートが速い画像を見たいか、を任意に選択できる。
【００６９】
本実施の形態に係るデジタルカメラ２０によれば、高画素の固体撮像素子２８を搭載していても、日常的に使用する時やＡＥ・ＡＦ時は、リフレッシュレートが高く、且つ電池消耗が少ない１／４間引き、又は１／８間引きの撮像を行い、マクロの確認時や映像を外部出力して確認する時などは、間引きの少ない（又は間引きしない）高画素の撮像を実行するので、より精細な画像を見ることができる。
【００７０】
上記実施の形態では、デジタルカメラを例に述べたが、本発明に係る撮像デバイスの駆動方法は、デジタルカメラ以外にも、電気的に画像信号を取得する電子カメラ（撮像装置）に広く適用することができる。
【００７１】
また、上記実施の形態では、第１の割合に相当する値として１／４又は１／８を用い、第２、第３、第４の割合として１／２を例に述べたが、間引きの割合はこれら数値に限定されるものではなく、撮像デバイスの画素数との関係で自由に定めることができる。
【図面の簡単な説明】
【００７２】
【図１】撮像デバイスの通常駆動の例を示す模式図
【図２】撮像デバイスの１／２間引き駆動の例を示す説明図であり、（ａ）は第１の例を示す図、（ｂ）は第２の例を示す図
【図３】撮像デバイスの１／４間引き駆動の例を示す説明図であり、（ａ）は第１の例を示す図、（ｂ）は第２の例を示す図
【図４】撮像デバイスの１／８間引き駆動の例を示す説明図であり、（ａ）は第１の例を示す図、（ｂ）は第２の例を示す図
【図５】本発明の実施の形態に係るデジタルカメラの構成を示すブロック図
【図６】撮像デバイスのリフレッシュレートをＮＴＳＣ等のフォーマットに合わせた場合の信号の流れを説明する為に用いたブロック図
【図７】マクロ撮影モード時の撮像デバイス駆動及びモニタ表示の方法を示す説明図
【図８】マクロ撮影モード時の撮像デバイス駆動及びモニタ表示の他の方法を示す説明図
【図９】図８に示した方法を用いた場合の撮像エリアと表示エリアの関係を示す説明図
【図１０】マクロ撮影モード時の撮像デバイス駆動及びモニタ表示の更に他の方法を示す説明図
【符号の説明】
【００７３】
１０…撮像デバイス
１２…光電変換素子（画素）
１４…垂直転送路
１６…水平転送路
２８…固体撮像素子（撮像デバイス）
４０…液晶モニタ
４６…コントロール回路
４８…中央処理装置（ＣＰＵ）
５０…操作部
【図１】
0004618280.tif 000002
【図２】
0004618280.tif 000003
【図３】
0004618280.tif 000004
【図４】
0004618280.tif 000005
【図５】
0004618280.tif 000006
【図６】
0004618280.tif 000007
【図７】
0004618280.tif 000008
【図８】
0004618280.tif 000009
【図９】
0004618280.tif 000010
【図１０】
0004618280.tif 000011